(57)【要約】【課題】ガスの流量変化を測定する精度を向上させるために測定間隔を短くしても消費電流が増加しない流量測定回路を実現する。【解決手段】超音波センサ１を駆動させ超音波の伝搬時間から計測流路を流れるガスの流量を所定の時間間隔で測定する流量測定回路６に、所定の回数分の流量値を保存できるデータ保存回路１１を備えることによって、流量測定間隔を可能なかぎり短くしても流量測定回路６と制御回路７のデータ送受信回数を増やす必要がなく、少ない電池で流量測定精度を向上させることができる。【選択図】図１
2010160088.tif 000002
【特許請求の範囲】
【請求項１】
送受信可能な一対の超音波センサと、ガスが流れる計測流路と、超音波センサを駆動させ超音波の伝搬時間から計測流路を流れるガスの流量を所定の時間間隔で測定する流量測定回路と、前記流量測定回路に内蔵された所定の回数分の流量値を保存できるデータ保存回路と、ガス使用量の積算値を計算する機能と、現在使用しているガス機器を判別する機能と、ガスの使用状態が正常であるかを判定し、異常が発生した場合にガスを遮断する保安機能を持った制御回路と、電子回路駆動用の電池とを備えたガス保安装置。
【請求項２】
流量測定回路に測定した流量を所定の回数分平均した値を複数保存できる保存回路を備えた請求項１記載のガス保安装置。
【発明の詳細な説明】
【技術分野】
【０００１】
本発明は、ガス流量を計測し、異常流量が計測された場合にはガス通路を遮断し、ガス使用上の安全性を確保するガス保安装置に関するものである。
【背景技術】
【０００２】
近年、ガスの使用量を計測し、異常時にはガスを遮断するガス保安装置において、ガスの瞬時流量を計測して安全性を向上させるために超音波センサを利用したものが検討されはじめている。
【０００３】
従来のガス保安装置について図３に基づき説明する。通常、超音波センサ１と断面積の明確な計測流路２と流量測定回路６を備えており、流量測定回路６に所定の時間間隔で信号を送り、超音波センサ１で計測流路２内を流れるガスの流速を求め、ガスの流速と計測流路２の断面積より瞬時流量を計測している。この瞬時流量を基にガスの積算流量を計算して、ガスの流れるパターンが異常かどうかを判定し、異常と判断した場合は遮断弁駆動回路４に遮断信号を出し、遮断弁３を遮断してガスを止める構成になっている（例えば特許文献１参照）。
【特許文献１】特開２００１−２３５１４５号公報
【発明の開示】
【発明が解決しようとする課題】
【０００４】
しかしながら、従来のガス保安装置では、ガスの流量変化を測定する精度を向上させるために測定間隔を短くすると、流量測定回路と制御回路のデータの送受信回数が増え、消費電流が増加し、電池本数を増やす必要があるという課題を有していた。
【０００５】
本発明は、前記従来の課題を解決するもので、流量測定のタイミングを可能なかぎり短い間隔で測定しても流量測定回路と制御回路のデータの送受信回数を増やす必要がないガス保安装置を提供することを目的とする。
【課題を解決するための手段】
【０００６】
前記従来の課題を解決するために、本発明のガス保安装置は送受信可能な一対の超音波センサと、ガスが流れる計測流路と、超音波センサを駆動させ超音波の伝搬時間から計測流路を流れるガスの流量を所定の時間間隔で測定する流量測定回路と、前記流量測定回路に内蔵された所定の回数分の流量値を保存できるデータ保存回路と、ガス使用量の積算値を計算する機能と、現在使用しているガス機器を判別する機能と、ガスの使用状態が正常であるかを判定し、異常が発生した場合にガスを遮断する保安機能を持った制御回路と、電子回路駆動用の電池を備えたものである。
【０００７】
これによって、流量測定間隔を可能なかぎり短くしても流量測定回路と制御回路のデータ送受信回数を増やす必要がなく、少ない電池で流量測定精度を向上することが可能となる。
【発明の効果】
【０００８】
本発明のガス保安装置は、電池を増やすことなく、流量変化を測定する精度を向上できるため、現在使用されているガス機器の判別等の精度が向上し、より安全性の高いガス保安装置を提供できる。
【発明を実施するための最良の形態】
【０００９】
第１の発明は送受信可能な一対の超音波センサと、ガスが流れる計測流路と、超音波センサを駆動させ超音波の伝搬時間から計測流路を流れるガスの流量を所定の時間間隔で測定する流量測定回路と、前記流量測定回路に内蔵された所定の回数分の流量値を保存できるデータ保存回路と、ガス使用量の積算値を計算する機能と、現在使用しているガス機器を判別する機能と、ガスの使用状態が正常であるかを判定し、異常が発生した場合にガスを遮断する保安機能を持った制御回路と、電子回路駆動用の電池を備えることによって、電池本数を増やすことなく流量測定間隔を短くできる。
【００１０】
第２の発明は第１の発明のガス保安装置に、流量測定回路に測定した流量を所定の回数分平均した値を複数保存できる保存回路を備えることによって、請求項１のガス保安装置と比べて制御回路で流量測定値を平均化する必要がなく、制御回路の負担を軽減できる。
【００１１】
以下、本発明の実施の形態について、図面を参照しながら説明する。なお、この実施の形態によって本発明が限定されるものではない。
【００１２】
（実施の形態１）
図１は本発明の第１の実施の形態におけるガス保安装置を示す構成図である。
【００１３】
基本的な構成は背景技術で説明した図３の説明と同様のものであるが、背景技術との差異は流量測定回路６に複数回分のデータ保存回路１１を設けたことである。ここで、流量測定回路６で保存するデータは、流速データだけではなく、流速を計算するための超音波の伝搬時間の場合もある。本発明の実施の形態では、データ保存回路１１にＭ回分のデータが保存でき、流量測定回路６と制御回路７のデータ送受信間隔は流量測定間隔を０．１秒とした場合、Ｍ×０．１秒となる。これによって、データ送受信に必要な消費電流を１／Ｍに抑えることが可能になる。
【００１４】
以上のように、本実施の形態においては測定間隔を短くしても流量測定回路６と制御回路１１間でのデータ送受信に必要な電流が増加しないため、電池の本数を増やすことなくガスの流速変化を精度良く測定できるガス保安装置が実現できる。
【００１５】
（実施の形態２）
図２は本発明の第２の実施の形態におけるガス保安装置を示す構成図である。
【００１６】
本実施の形態では、基本的な構成は第１の実施の形態と同様で、第１の実施の形態との差異はガス保安装置の流量測定回路６に内蔵されたデータ保存回路１１に所定の回数の流量測定値の平均を保存できる平均データ保存回路１２を追加したことである。ここで、流量測定回路６で保存するデータが流速を計算するための超音波の伝搬時間である場合は、保存されるデータは平均値ではなく、所定の回数の伝搬時間の合計である場合もある。例えば、図２のように制御回路７にガス機器判別機能１０とガス使用量積算機能９と保安機能８があり、それぞれの機能で、流量測定毎のデータ、Ｎ回平均データ、Ｍ回平均データを使用する場合は、平均データ保存回路１２にＭ回平均値保存回路、Ｎ回平均値保存回路を設けている。これによって、制御回路７で流量測定回路６からデータを吸い出す毎に平均値を計算する必要がなく、制御回路７の負荷が軽減される。制御回路７の負荷が軽減することによって、より複雑な判定ロジックを実現できるようになり、ガス保安装置の各種機能の精度が向上する。
【産業上の利用可能性】
【００１７】
以上のように、本発明にかかるガス保安装置は、電池本数を増やすことなく、流量計測間隔を短くできるため、ガス流量の細かい変化を精度良く測定でき、現在使用しているガス機器の判別の精度が向上し、より安全性を向上させたガス保安装置として利用できる。
【図面の簡単な説明】
【００１８】
【図１】本発明の実施の形態１におけるガス保安装置の構成図
【図２】本発明の実施の形態２におけるガス保安装置の構成図
【図３】従来のガス保安装置の構成図
【符号の説明】
【００１９】
１  超音波センサ
２  計測流路
３  遮断弁
４  遮断弁駆動回路
５  電池
６  流量測定回路
７  制御回路
８  保安機能
９  ガス使用量積算機能
１０  ガス機器判別機能
１１  データ保存回路
１２  平均データ保存回路
【図１】
2010160088.tif 000003
【図２】
2010160088.tif 000004
【図３】
2010160088.tif 000005